(57)【要約】【課題】ネットワーク機器間の双方向の通信履歴を意図的に生成させ、ネットワーク機器間の接続関係を含む構成情報を、偶発性に頼らず収集して解析することを可能する。【解決手段】ネットワーク構成情報収集処理部１１１は、管理対象とするネットワークの各機器に対してＰｉｎｇコマンドを送信し、また、送信元ＩＰアドレスを書き換えたＰｉｎｇコマンドを送信し、その応答を行わせることで、各ネットワーク機器の間に通信を発生させ、各ネットワーク機器の通信履歴情報を収集する。これにより、単一地点からの通信によってネットワーク機器間に双方向の通信を発生させ、偶発性に頼らずにネットワーク機器間の接続構成を含む構成情報を収集することができる。【選択図】図１
2008252297.tif 000002
【特許請求の範囲】
【請求項１】
ネットワークに接続されている管理対象としての複数のネットワーク機器のそれぞれから構成情報を収集して管理するネットワーク管理システムにおいて、
前記ネットワーク機器のそれぞれから当該ネットワーク機器の接続関係を含む機器の接続関係を含む構成情報を収集する構成情報収集手段と、収集された構成情報を格納する情報格納手段とを備え、
前記構成情報収集手段は、前記ネットワーク機器に対して順次Ｐｉｎｇコマンドを送信し、ネットワーク機器同士の通信を発生させた後、各ネットワーク機器からその通信履歴情報を収集する手段と、収集した通信履歴情報から、２つのネットワーク機器の相互接続関係を解析する際に必要となる双方向の通信履歴情報のうち一方についての通信履歴しか持たない情報を抽出し、これについて、送信元ＩＰアドレスを書き換えたｐｉｎｇコマンドをネットワーク機器に対して送信し、ネットワーク機器同士の他方向の通信を発生させた後、再度、ネットワーク機器からその通信履歴情報を収集する手段とを有することを特徴とするネットワーク管理システム。
【請求項２】
ネットワーク上に接続されている管理対象としての複数のネットワーク機器のそれぞれから構成情報を収集して管理するネットワーク管理方法において、
前記ネットワーク上に、ネットワーク構成情報収集システムを備え、
前記ネットワーク構成情報収集システムは、前記ネットワーク機器のそれぞれから当該ネットワーク機器の接続関係を含む機器の接続関係を含む構成情報を収集する構成情報収集手段と、収集された構成情報を格納する情報格納手段とを備えて構成され、
前記構成情報収集手段は、前記ネットワーク機器に対して順次Ｐｉｎｇコマンドを送信し、ネットワーク機器同士の通信を発生させた後、各ネットワーク機器からその通信履歴情報を収集し、収集した通信履歴情報から、２つのネットワーク機器の相互接続関係を解析する際に必要となる双方向の通信履歴情報のうち一方についての通信履歴しか持たない情報を抽出し、これについて、送信元ＩＰアドレスを書き換えたｐｉｎｇコマンドをネットワーク機器に対して送信し、ネットワーク機器同士の他方向の通信を発生させた後、再度、ネットワーク機器からその通信履歴情報を収集することを特徴とするネットワーク管理方法。
【発明の詳細な説明】
【技術分野】
【０００１】
本発明は、ネットワーク管理システムに係り、特に、ネットワークに接続されている機器の情報を収集してネットワーク構成情報として管理するネットワーク管理システム及び管理方法に関する。
【背景技術】
【０００２】
従来、ＴＣＰ／ＩＰ(Transmission Control Protocol/Internet Protocol）のネットワーク環境において、ネットワーク構成情報を自動生成するネットワークシステムして、ＳＮＭＰ（Simple Network Management Protocol）を用いたネットワークシステムが存在する。このＳＮＭＰを用いるネットワークシステムは、ネットワークの管理のためのＳＮＭＰマネージャと、管理対象となるネットワーク機器に備えられＳＮＭＰエージェントとの間で、ＳＮＭＰエージェントが管理するＭＩＢ(Management Information Base）を交換することにより機器の管理を行うものである。
【０００３】
また、ネットワーク構成の管理を行うネットワーク管理システムに関する従来技術として、例えば、特許文献１等に記載された技術が知られている。この従来技術は、管理対象となるネットワーク構成に関する情報を収集する手段と、収集した情報に基づいて、ネットワーク構成を解析する手段と、解析結果を表示する手段とを備えて構成されるものである。そして、この従来技術は、Ｐｉｎｇ(Packet INternet Groper)コマンドの応答情報とＳＮＭＰを用いて収集した情報との組み合わせによって、現実のネットワーク構成に近い状態の解析結果を得るというものである。
【０００４】
図２は従来技術によるネットワーク構成情報の収集手順を説明するフローチャートであり、図２を参照して従来技術によるネットワーク構成の収集について説明する。この処理は、ネットワーク管理装置におけるＳＮＭＰマネージャが行う処理であり、ネットワーク管理装置が予め保持している管理すべきネットワーク内の機器のＩＰアドレスの範囲にある各機器のぞれぞれについて、順次その全てについて行う処理である。
【０００５】
（１）ＳＮＭＰマネージャは、まず、自装置が管理すべきネットワーク機器のＩＰアドレスの１つを選択して、その機器にＰｉｎｇコマンドを送信し、トラフィックを生成して、応答が得られたことを確認する。このＰｉｎｇ応答が得られなかった場合、Ｐｉｎｇコマンドを送信したネットワーク機器がネットワーク内に存在しないので、次のＩＰアドレスの１つを選択して処理を繰り返す（ステップ２０１）。
【０００６】
（２）次に、Ｐｉｎｇ応答があった機器に対して、ＳＮＭＰプロトコルを用いて機器が持つシステム情報の取得を行うために、リクエスト情報を送信し、それに対応して機器から送信されてくるＳＮＭＰ応答の確認を行って機器のシステム情報を取得する。この場合、ＳＮＭＰプロトコルによるリクエストに応答してくる機器は、ＳＮＭＰプロトコルを持つ機器だけである（ステップ２０２）。
【０００７】
（３）次に、ＳＮＭＰ応答があった機器に対して、インターフェース情報／ＩＰアドレス情報を取得するためのリクエスト情報を送信して、その機器のインターフェース情報／ＩＰアドレス情報を取得すると（ステップ２０３）。
【０００８】
（４）その後、ＡＲＰ情報（ＩＰアドレスとＭＡＣアドレスとを対応付けた情報）／ＦＤＢ情報（フィルタリングデータベース情報＝ネットワーク機器が通信を行ったときに学習したＭＡＣアドレスとポート番号とを組にした情報）を取得するためのリクエスト情報を送信して、ＡＲＰ／ＦＤＢ情報を取得する（ステップ２０４）。
【０００９】
（５）さらに、同様にして、ホスト名、その他の情報として、ＶＬＡＮ情報、トランク情報、スパンニングツリー情報を取得して、収集したそれらの情報をデータベースに保存する（ステップ２０５〜２０７）。
【００１０】
なお、前述で説明したネットワーク構成情報の収集手順では、ステップ２０１でのＰｉｎｇ応答確認処理を行うことにより、ネットワーク機器に意図的に通信履歴を生成させ、ステップ２０４でのＡＲＰ情報／ＦＤＢ情報取得処理における情報の収集を容易な行うことができるようにしている。
【特許文献１】特開２００４−８６７２９号公報
【発明の開示】
【発明が解決しようとする課題】
【００１１】
前述した従来技術は、収集されるネットワーク構成情報が、ネットワーク機器から収集された通信履歴の情報を元にするため、必要な情報が不足することなく取得できるかどうかは通信の状況に左右されていた。そのため、前述の従来技術は、ＳＮＭＰ情報収集処理の前にＰｉｎｇ発行を行うことにより、ネットワーク機器の通信履歴を意図的に生成している。すなわち、ＳＮＭＰマネージャが、ネットワーク機器に対してＰｉｎｇコマンドを送信すると、それを受け取ったネットワーク機器は、Ｐｉｎｇ応答を返す際に、そのネットワーク機器のＭＡＣアドレスが、通信途上にある各ネットワーク機器のＦＤＢ情報テーブルに通信を受け取ったポート番号と共に、そのネットワーク機器のＭＡＣアドレスを通信履歴として記憶する。
【００１２】
しかし、前述した従来技術は、ネットワーク上の単一箇所に接続されているネットワーク管理装置におけるＳＮＭＰマネージャからＰｉｎｇコマンドが発行されることとなり、次に説明するような問題点を生じさせている。
【００１３】
いま、ネットワーク構成が、ＳＮＭＰマネージャから見て、ネットワーク機器Ａの先にネットワーク機器Ｂが接続されて構成されているものとする。この場合、ＳＮＭＰマネージャが、ネットワーク機器ＢにＰｉｎｇコマンドを発行し、ネットワーク機器ＢがＳＮＭＰマネージャにＰｉｎｇ応答すると、その通信は、ネットワーク機器Ａを介して行われることになるので、ネットワーク機器Ａにネットワーク機器Ｂとの間での通信履歴が生成される。しかし、ＳＮＭＰマネージャが、ネットワーク機器ＡにＰｉｎｇコマンドを発行し、ネットワーク機器ＡがＳＮＭＰマネージャにＰｉｎｇ応答を行っても、ネットワーク機器Ｂにはネットワーク機器Ａの通信履歴が生成されないことになる。そのため、ネットワーク機器Ａとネットワーク機器Ｂとの間の相互接続関係を解析する際に必要となる双方向の通信履歴情報のうち一方についてしか、意図的な情報生成を行うことができず、他方については収集できない可能性が高い。
【００１４】
本発明の目的は、前述したような従来技術の問題点を解決し、ネットワーク機器間の双方向の通信履歴を意図的に生成し、それらのネットワーク機器間の接続関係を含む構成情報を、偶発性に頼らず収集して解析することを可能としたネットワーク管理システム及び管理方法を提供することにある。
【課題を解決するための手段】
【００１５】
本発明によれば前記目的は、ネットワーク上に接続されている管理対象としての複数のネットワーク機器のそれぞれから構成情報を収集して管理するネットワーク管理システムにおいて、前記ネットワーク機器のそれぞれから当該ネットワーク機器の接続関係を含む機器の接続関係を含む構成情報を収集する構成情報収集手段と、収集された構成情報を格納する情報格納手段とを備え、前記構成情報収集手段は、前記ネットワーク機器に対して順次Ｐｉｎｇコマンドを送信し、ネットワーク機器同士の通信を発生させた後、各ネットワーク機器からその通信履歴情報を収集する手段と、収集した通信履歴情報から、２つのネットワーク機器の相互接続関係を解析する際に必要となる双方向の通信履歴情報のうち一方についての通信履歴しか持たない情報を抽出し、これについて、送信元ＩＰアドレスを書き換えたｐｉｎｇコマンドをネットワーク機器に対して送信し、ネットワーク機器同士の他方向の通信を発生させた後、再度、ネットワーク機器からその通信履歴情報を収集する手段とを有することにより達成される。
【発明の効果】
【００１６】
本発明によれば、ネットワーク上の単一地点に設けられるネットワーク管理システムにおけるＳＮＭＰマネージャからの通信だけで、ネットワーク機器相互間の双方向の通信履歴を意図的に生成させて収集することができるようにして、偶発性に頼らずにネットワーク機器相互間の接続構成を含む構成情報を取得して解析することができる。
【発明を実施するための最良の形態】
【００１７】
以下、本発明によるネットワーク管理システムの実施形態を図面により詳細に説明する。
【００１８】
図６は本発明の一実施形態によるネットワーク管理システムが構築されるネットワークシステムの例を示すブロック図であり、まず、これについて説明する。
【００１９】
ネットワーク管理システムが構築されるネットワークシステムは、図６に示すように、ネットワーク５０７に、ネットワーク構成情報収集システム１００と、ルータ５０２とが接続されて構成され、さらに、ルータ５０２には、ルータ５０２の下にハブ５０３、５０６が接続され、ハブ５０３の下にハブ５０４、５０５が接続されて構成されている。また、ハブ５０３〜５０６のそれぞれには、図示しないが複数のＰＣ等の端末装置が接続されている。そして、本発明の実施形態では、ネットワーク構成情報収集システム１００がネットワーク機器であるルータ５０２、ハブ５０３〜５０６から各種の情報を収集して構成情報を生成管理する。
【００２０】
図１は図６に示すネットワーク構成情報収集システム１００の機能構成例を示すブロック図である。図１に示すように、ネットワーク構成情報収集システム１００は、ネットワーク情報収集結果データベース部１０１と、構成情報データベース部１０２と、ネットワーク構成情報収集処理部１１１と、ネットワーク構成情報解析処理部１１２と、ネットワーク構成図生成処理部１１３と、出力装置部１１４とを有して構成されている。ネットワーク情報収集結果データベース部１０１には、情報収集結果データ１０１Ａが、構成情報データベース部１０２には、ネットワーク構成情報データ１０２Ａが格納される。
【００２１】
前述において、ネットワーク構成情報収集処理部１１１は、Ｐｉｎｇコマンド、ＳＮＭＰプロトコルを使用してネットワーク構成情報を収集し、収集結果をネットワーク情報収集結果データベース部１０１に情報収集結果データ１０１Ａとして格納する。
【００２２】
ネットワーク構成情報解析処理部１１２は、情報収集結果データベース部１０１から収集結果データ１０１Ａを取得し、これを用いてネットワーク構成を解析し、解析したデータをネットワーク構成情報データベース１０２にネットワーク構成情報データ１０２Ａとして格納する。
【００２３】
ネットワーク構成図生成処理部１１３は、ネットワーク構成情報データベース１０２から、ネットワーク構成情報データ１０２Ａを取得し、ネットワーク構成情報データ１０２Ａを用いて、ネットワーク構成図を生成し、表示装置、印刷装置等の出力装置１１４に出力する。
【００２４】
前述したように構成されるネットワーク構成情報収集システム１００は、ＳＮＭＰマネージャを搭載しており、ＳＮＭＰプロトコルを用いてネットワーク５０７上のネットワーク機器であるルータ５０２、ハブ５０３〜５０６からネットワーク構成情報を収集する場合に、ＳＮＭＰエージェントが搭載されている機器からネットワーク情報を収集することができる。
【００２５】
図１に示すネットワーク構成情報収集システム１００は、そのハードウェア構成として、ＣＰＵ、主メモリ、ハードディスク等の外部記憶装置、通信装置を備える情報処理装置に構成されればよい。そして、前述のネットワーク構成情報収集処理部１１１、ネットワーク構成情報解析処理部１１２、ネットワーク構成図生成処理部１１３は、プログラムにより構成されて、外部記憶装置に格納されていて、主メモリにロードされてＣＰＵにより実行されることによりそれぞれの機能が構築される。なお、前述のプログラムは、ネットワークを介して主メモリにロードされてもよい。また、外部記憶装置には、データベース１０１、１０２が構築されている。
【００２６】
図３は図１に示すネットワーク構成情報収集システム１００のネットワーク構成情報収集処理部１１１による処理動作を説明するフローチャートであり、次に、これについて説明する。この処理は、ネットワーク構成情報収集システムが予め保持している管理すべきネットワーク内の機器のＩＰアドレスの範囲にある各機器のぞれぞれについて、順次その全てについて行う処理である。
【００２７】
（１）ネットワーク構成情報収集処理部１１１は、まず、自システムが管理すべきネットワーク機器のＩＰアドレスの１つを選択して、ＳＮＭＰプロトコルを用いて機器が持つシステム情報の取得を行うために、リクエスト情報を送信し、それに対応して機器から送信されてくるＳＮＭＰ応答の確認を行って機器のシステム情報を取得する。この場合、ＳＮＭＰプロトコルによるリクエストに応答してくる機器は、ＳＮＭＰプロトコルを持つ機器だけである。応答が得られなかった場合、リクエスト情報を送信したネットワーク機器がＳＮＭＰプロトコルを持ったものでないので、次のＩＰアドレスの１つを選択して処理を繰り返す（ステップ３０１）。
【００２８】
（２）次に、ＳＮＭＰ応答があった機器に対して、インターフェース情報／ＩＰアドレス情報を取得するためのリクエスト情報を送信して、その機器のインターフェース情報／ＩＰアドレス情報を取得する（ステップ３０２）。
【００２９】
（３）次に、管理対象の全機器に対して順次Ｐｉｎｇコマンドを送信し、各ネットワーク機器に通信履歴を生成させる。すなわち、ネットワーク機器のＡＲＰテーブルにＡＲＰ情報を、ＦＤＢテーブルに片方向のＦＤＢ情報を登録させ、その応答が得られたことを確認する（ステップ３０３）。
【００３０】
（４）その後、ＡＲＰ情報／ＦＤＢ情報を取得するためのリクエスト情報を送信して、ＡＲＰ／ＦＤＢ情報を取得する（ステップ３０４）。
【００３１】
（５）ステップ３０４の処理で取得したＦＤＢ情報に含まれる学習ＭＡＣアドレス情報と、インターフェース情報に含まれるＭＡＣアドレス情報とを照合することにより、各ネットワーク機器のＩＰアドレス（ｘ）と、各ネットワーク機器の個々のポートの先に存在するネットワーク機器のＩＰアドレス（ｙ）の一覧を取得する（ステップ３０５）。
【００３２】
（６）ステップ３０５の処理で取得した一覧を元に、相互に通信を行ったことを示している情報が得られた情報を除いて、一方向の通信履歴しか持たないものについて、送信元ＩＰアドレスを（ｙ）に、送信先ＩＰアドレスを（ｘ）に設定したＰｉｎｇコマンドを順次発行する。これにより、手前側のネットワーク機器がポートの先に存在するネットワーク機器に応答を返し、ポートの先に存在するネットワーク機器に通信履歴が生成される（ステップ３０６）。
【００３３】
（７）その後に、再びＡＲＰ情報／ＦＤＢ情報を取得するためのリクエスト情報を送信して、ＡＲＰ／ＦＤＢ情報を取得する（ステップ３０７）。
【００３４】
（８）その後、図２により説明したステップ２０５〜ステップ２０７での処理と同様に、ホスト名、その他の情報として、ＶＬＡＮ情報、トランク情報、スパンニングツリー情報を取得して、収集したそれらの情報をデータベースに保存する（ステップ３０８〜３１０）。
【００３５】
本発明の実施形態は、前述したような処理を行うことにより、ネットワーク機器間の双方向の通信履歴を意図的に生成させて、それらのネットワーク機器間の接続関係を含む構成情報を収集することができる。
【００３６】
図４は各種データの構成例を示す図であり、図４（ａ）はインターフェース情報４００の例、図４（ｂ）はＦＤＢ情報４０１の例、図４（ｃ）はインターフェース情報４００とＦＤＢ情報４０１との合成によって得られる通信履歴のあるＩＰアドレスの組み合わせ情報４０２の例を示している。
【００３７】
図４（ｃ）に示す例において、レコード４２１とレコード４２３とは、双方向の通信履歴情報を得られているレコードの例である。レコード４２１とレコード４２３とについては、これ以上情報を補完する必要はない。レコード４２２は片方向の通信履歴情報しか得られていない例である。この場合、送信元ＩＰアドレスを192.168.100.30とし、送信先ＩＰアドレスを192.168.100.10としたＰｉｎｇコマンドを送信することにより、ＩＰアドレス192.168.100.10からＩＰアドレス192.168.100.30に対してＰｉｎｇ応答の通信が行われ、ＩＰアドレス192.168.100.30の機器のＦＤＢテーブルにＩＰアドレス192.168.100.10の機器のＭＡＣアドレスがその接続先ポートと共に通信履歴として記憶される。その後、ＩＰアドレス192.168.100.30からＦＤＢ情報を取得することにより、その情報を取得することができる。
【００３８】
図５は図６により説明したネットワークシステムの構成例におけるルータ５０２とハブ５０３〜５０６とを抽出して示した図であり、次に、この図を参照して、図１に示して説明した本発明の実施形態によるネットワーク構成に関する情報の収集方法について具体的に説明する。図５に示しているＳＮＭＰマネージャ５１１は、図１に示すネットワーク構成情報収集システムであり、詳細には、ネットワーク構成情報収集処理部１１１に相当する。
【００３９】
図５に示すネットワーク構成例における各機器には、固有のＩＰアドレスが割り振られていることを示している。そして、ルータ５０２とハブ５０３〜５０６とは、ＳＮＭＰエージェントが搭載されて構成されており、ＳＮＭＰプロトコルによる管理情報の通信が可能になっている。
【００４０】
図５において、ネットワーク構成情報収集システム１００のネットワーク構成情報収集処理部１１１は、全管理対象の機器に対してＳＮＭＰ応答確認を行い、応答のあったＩＰアドレスに対して、ネットワーク構成情報としての管理情報の収集を行う。接続関係を含むネットワーク構成を解析するために必要な情報は、各機器の通信履歴情報であり、図３に示すフローのステップ３０３での全機器に対するＰｉｎｇ送信処理によって通信を発生させることにより、ハブ５０４のＭＡＣアドレスとハブ５０５のＭＡＣアドレスに関する通信履歴情報がハブ５０３に記憶され、ＳＮＭＰマネージャ５０１は、ハブ５０３に対してＳＮＭＰプロトコルを利用することによりこれらの情報を収集することができる。次に、ＳＮＭＰマネージャ５０１は、送信元ＩＰアドレスをハブ５０４のＩＰアドレスに意図的に書き換えたＰｉｎｇコマンドをハブ５０３に対して送信する。これにより、ハブ５０３は、Ｐｉｎｇコマンドに対する応答をＳＮＭＰマネージャ５０１に向けてではなく、ハブ５０４に向けて行う。このとき、ハブ５０３のＭＡＣアドレスに関する通信履歴情報がハブ５０４に記憶される。そして、ＳＮＭＰマネージャ５０１は、ハブ５０４に対してＳＮＭＰプロトコルを利用することによりその履歴情報を収集することができる。同様に、ＳＮＭＰマネージャ５０１は、ハブ５０５からもハブ５０３の情報を取得することができる。
【００４１】
前述した本発明の実施形態によれば、管理対象としてのネットワーク機器から当該ネットワーク機器の接続関係を含む構成情報を収集する情報収集手段と、収集された構成情報を格納する情報格納手段とを備えたネットワーク管理システムにおいて、特定のネットワーク機器Ｂから特定のネットワーク機器Ａの通信履歴を収集したい場合に、ＳＮＭＰマネージャからネットワーク機器ＢのＩＰアドレスを送信元ＩＰアドレスとするようなＰｉｎｇコマンドをネットワーク機器Ａに対して送信することにより、ネットワーク機器Ａからネットワーク機器Ｂに対してＰｉｎｇ応答を行わせ、ネットワーク機器ＢのＦＤＢテーブルにネットワーク機器ＡのＭＡＣアドレスを通信履歴として意図的に記憶させることができ、必要な通信履歴情報を自在に収集することができる。
【００４２】
また、前述した本発明の実施形態によれば、ネットワーク機器間の組み合わせがネットワーク機器の総数をＮとした場合、Ｎの２乗となるため、通常のＰｉｎｇ発行処理を併用することにより片方向の通信履歴の収集を行い、片方向の通信履歴を収集できたネットワーク機器の組み合わせに対してのみ、それを補完するように送信元ＩＰアドレスを書き換えたＰｉｎｇ通信を行うようにしているので、Ｐｉｎｇ通信の量を削減することができる。
【００４３】
また、通信履歴は、通信発生後、一定時間経過後に自動的に削除されるため、前述した本発明の実施形態は、Ｐｉｎｇ発行処理をＡＲＰ／ＦＤＢ情報収集処理の直前に行うこととしている。これにより、Ｐｉｎｇ発行処理の目的を通信履歴の生成のために特化し、ＳＮＭＰマネージャに対するＰｉｎｇ応答の有無の確認を行う必要をなくすことができる。
【図面の簡単な説明】
【００４４】
【図１】本発明の一実施形態によるネットワーク構成情報収集システムの機能構成例を示すブロック図である。
【図２】従来技術によるネットワーク構成情報の収集手順を説明するフローチャートである。
【図３】ネットワーク構成情報収集処理部による処理動作を説明するフローチャートである。
【図４】各種データの構成例を示す図である。
【図５】図６により説明したネットワークシステムの構成例におけるルータ５０２とハブ５０３〜５０６とを抽出して示した図である。
【図６】本発明の一実施形態によるネットワーク管理システムが構築されるネットワークシステムの例を示すブロック図である。
【符号の説明】
【００４５】
１００  ネットワーク構成情報収集システム
１０１  ネットワーク情報収集結果データベース
１０２  ネットワーク構成情報データベース
１０１Ａ  情報収集結果データ
１０２Ａ  ネットワーク構成情報データ
１１１  ネットワーク構成情報収集処理部
１１２  ネットワーク構成情報解析処理部
１１３  ネットワーク構成図生成処理部
５０２  ルータ
５０３〜５０６  ハブ
５０７  ネットワーク
【図１】
2008252297.tif 000003
【図２】
2008252297.tif 000004
【図３】
2008252297.tif 000005
【図４】
2008252297.tif 000006
【図５】
2008252297.tif 000007
【図６】
2008252297.tif 000008